(57)【要約】 【課題】  ペットの手元供養に適したペット用仏壇セットの提供【解決手段】  光源部、被写体部及び凹面鏡様形状のスクリーン部の順で光軸上に配置された影絵を映し出すことを特徴とするペット用仏壇セット。【選択図】  図１
0003213333.tif 000002
【実用新案登録請求の範囲】
【請求項１】
光源部、被写体部及び凹面鏡様形状のスクリーン部の順で光軸上に配置された影絵を映し出すことを特徴とするペット用仏壇セット。
【請求項２】
該光源部は該スクリーン部の鏡面様形状の焦点に配置したことを特徴とする請求項１記載のペット用仏壇セット。
【請求項３】
該被写体部及び／又は該凹面鏡様形状のスクリーン部がワックスで造られていることを特徴とする請求項１ないし２記載のペット用仏壇セット。
【請求項４】
該被写体部の基部は遺骨収容部を有しワックスで封印できることを特徴とする請求項１ないし３記載のペット用仏壇セット。
【考案の詳細な説明】
【技術分野】
【０００１】
本考案は、主にペット供養に使用されることを目的に設計された亡くなったペットのシルエットの影絵を映し出すペット用仏壇セットに関するものである。ペット供養は、犬や猫などの大事なペットが死んだ際に、そのペットの死を悼んで、家族や知人友人がペット葬儀に参列したり、お別れ会で集ったりする際、あるいは手元供養に灯すことのできるペット用仏壇セットに関するものである。
【背景技術】
【０００２】
家族同然に大事に扱われてきたペットが死んだ場合に、人の葬儀と同様にペットの葬儀が行われるようになってきた。
その際、お通夜や葬儀は、人の場合に比べ、簡略化されているケースが多く、自宅で供養する手元供養が普及してきている。
手元供養にはペット用の小さな仏壇セットが使用されたり、また火葬したペットの遺骨を納骨壺に入れ自宅に持ち帰るケースや、分骨した一部をアクセサリーに封印して身に着けるケースも多くなっている。
一方で、ローソクや電灯を光源として動物のシルエットを映し出す影絵が知られている。
【考案の概要】
【考案が解決しようとする課題】
【０００３】
しかしながら、ペット用の仏壇セットと納骨壺とを隣同士に置いたり、納骨壺を仏壇の中に収容させるといったケースが多く、ペット用仏壇セットとしての一体性に乏しく、また、火葬にしたペットの遺骨の一部をアクセサリーに封印させる場合は、専門業者に委ねるケースが多く、そのため時間を要したり、自らが封印する行為ができない。
また、スクリーンや壁にローソクや電灯を光源として動物のシルエットを映し出す場合、スクリーンや壁が平面であるため、光源からの距離が異なることで、どうしてもシルエットの影絵の周縁部がぼやけることが避けれなかった。
【課題を解決するための手段】
【０００４】
本考案者らは、手元供養に適したペット用仏壇セットを提供するため検討した結果、本考案に到達したものである。
すなわち、本考案は、光源部、被写体部及び凹面鏡様形状のスクリーン部の順で光軸上に配置された影絵を映し出すことを特徴とするペット用仏壇セットである。
第2の考案は、該被写体部及び／又は該凹面鏡様形状のスクリーン部がワックスで造られていることを特徴とする上記１記載のペット用仏壇セットである。
第3の考案は、該光源部は該スクリーン部の鏡面様形状の焦点に配置したことを特徴とする上記１ないし２記載のペット用仏壇セットである。
第4の考案は、該被写体部の基部は遺骨収容部を有しワックスで封印できることを特徴とする上記１ないし３記載のペット用仏壇セットである。
【考案の効果】
【０００５】
本考案のペット用仏壇セットは、次のような優れた効果を奏している。  １）光源部、被写体部及び凹面鏡様形状のスクリーン部の順で光軸上に配置することで、被写体部のシルエットの影絵を効果的に映し出すことができる。また、２）該被写体部及び／又は該凹面鏡様形状のスクリーン部が切削可能なワックスで造られていることで、使用者が被写体を所望の形状に切削加工したり、該スクリーン部の背面や周縁部などに所望のパターンや日時、サインなどを削り入れることができる。さらに、３）該光源部を該スクリーン部の鏡面様形状の焦点に配置することで、ペットの動物をイメージするシルエットの影絵を一層効果的に映し出すことができる。さらにまた、４）該被写体部の基部は遺骨収容部を有しワックスで封印できることとしたことで、ペットの遺骨の一部を使用者自らが封印することで、亡くなったペットへの思い入れを封印でき、さらには被写体部にペットの遺骨が封印されることで、動物をイメージする被写体の影絵に亡くなったペットの面影を併せて映し出すことができる。５）ワックスは熱熔融させることで、該遺灰収容部を容易に封印できる。
【図面の簡単な説明】
【０００６】
【図１】本考案のペット用仏壇セットの写真画像。
【図２】本考案のペット用仏壇セットの真上より撮影した写真画像。
【図３】本考案の凹面鏡様形状のスクリーン部と一体化したペット用仏壇セットの台座の写真画像。
【図４】本考案のペット用仏壇セットの被写体部の写真画像。
【図５】本考案のペット用仏壇セットを光源部としてローソクの灯で映し出した影絵の写真画像。
【図６】本考案のペット用仏壇セットを光源部としてローソク灯様の揺らぐＬＥＤローソクで映し出した影絵の写真画像。
【考案を実施するための形態】
【０００７】
以下、図面を参照しつつ、本考案のペット用仏壇セットを説明する。ただし、本考案の技術的範囲は以下の実施形態に示した具体的な形状、寸法などには限定されない。
【実施例】
【０００８】
図１は、本考案の一実施例を示すペット用仏壇セットであり、光源部１、被写体部２及び凹面鏡様形状のスクリーン部３の順で光軸上に配置されることで、被写体部のシルエットの影絵を効果的に映し出すことができる。
図２は、本考案のペット用仏壇セットの真上より撮影した写真画像であり、該光源部１は該スクリーン部４の鏡面様形状の焦点５に配置しており、該焦点５に配置された該光源部１の発せられた光は該スクリーン部３で該光軸４と平行に反射することになり、該被写体部２のシルエットの影絵がより鮮明に映し出される。
【０００９】
図５および図６に示すように、本考案のペット用仏壇セットの構成要素である光源部１としては、周知のローソクやＬＥＤローソクを使用することで、亡くなったペットをイメージする被写体部２の効果的なシルエットの影絵を映し出すことができる。
なお、ＬＥＤローソクの内でも、ローソク様の揺らぎのあるＬＥＤローソクを使用すれが好ましい影絵が得られる。
【００１０】
本考案のペット用仏壇セットは、図３に示すように、凹面鏡様形状のスクリーン部３と一体化したペット用仏壇セット台座７とすることでコンパクトにできるため、棚の上やテーブルの上、タンスの上などに置くことができ、手軽にローソクを灯して亡くなったペットの面影を偲ぶことができる。
【００１１】
しかしながら、ローソクは火災安全上、人目のある状態で使用するのは当然のことであるものの、うっかり消し忘れたり、灯したままで、その場を離れることでの火災発生の危険性を否定することはできない。
そこで、人目のある状態や、家族そろって亡くなったペットの供養するケースなどの火災安全確保できる際はローソクを灯すようにし、それ以外の場合には安心安全なＬＥＤローソク、とりわけローソク炎様の揺らぎのあるＬＥＤローソクを使用することが好ましい。                                                                                                            
【００１２】
本考案のペット用仏壇セットの本体および各構成要素の材質は、特に限定されるものではないが、耐衝撃性に優れた、難燃性のワックスを材質にすれば、図３に示すような、凹面鏡様形状のスクリーン部３とペット用仏壇セット台座７とを一体化して造ることが容易であり、さらには火災に対する安全性確保ができて好ましい。
【００１３】
本考案のペット用仏壇セットの被写体部２は、供養するペットの犬、猫などのシルエットの影絵が表出するような形状とすることができ、さらにワックスは切削が容易な素材であるため、図４に示す、ワックスで造られた被写体部２に亡くなったペットの名前を刻んだり、被写体部の遺骨収容部６に亡くなった日付を彫って入れたりすることが容易であり、よりリアルなペットのシルエット形状に切削など、使用者が所望の切削加工ができる。
【００１４】
本考案のペット用仏壇セットの被写体部２の遺骨収容部６にペットの遺骨を入れたのち、使用者自らがワックスで容易に封印できる。
【産業上の利用可能性】
【００１５】
本考案のペット用仏壇セットは、光源部、被写体部及び凹面鏡様形状のスクリーン部の順で光軸上に配置することで、被写体部のシルエットの影絵を効果的に映し出され、さらに該被写体部及び／又は該凹面鏡様形状のスクリーン部が切削可能なワックスで造られていることで、使用者が被写体を所望の形状に切削加工したり、該スクリーン部の背面や周縁部などに所望のパターンや日時、サインなどを削り入れることができペットの死を悼むことができるペット用仏壇セットである。
【符号の説明】
【００１６】
１  光源部
２  被写体部
３  凹面鏡様形状のスクリーン部
４  光軸
５  焦点
６  遺骨収容部
７  ペット用仏壇セット台座
【図１】
0003213333.tif 000003
【図２】
0003213333.tif 000004
【図３】
0003213333.tif 000005
【図４】
0003213333.tif 000006
【図５】
0003213333.tif 000007
【図６】
0003213333.tif 000008